【事件の表示】
　特願２０１３−　３３５６２「予測及びリアルタイム支援型ＧＰＳシステムのための分散軌道モデル及び伝播方法」拒絶査定不服審判事件〔平成２５年　６月２７日出願公開、特開２０１３−１２７４８１、請求項の数（１８）〕について、次のとおり審決する。
【結　論】
　原査定を取り消す。
　本願の発明は、特許すべきものとする。
【理　由】
第１　手続の経緯
　本願は、平成１９年１１月１９日を国際出願日とする出願（特願２０１０−５３４３２５号）の一部を平成２５年２月２２日に新たな特許出願としたものであって、平成２６年２月２８日付けで拒絶理由が通知され、平成２６年７月７日付けで意見書が提出され、平成２７年２月１３日付けで拒絶理由が通知され、平成２７年５月１８日付けで手続補正がなされたが、平成２７年１０月２８日付けで、平成２７年２月１３日付けで通知された拒絶理由の理由２によって、拒絶査定がなされ（送達日：平成２７年１１月２日）、これに対し、平成２８年３月２日付けで拒絶査定不服審判が請求され、同時に手続補正がなされたものである。
第２　平成２８年３月２日付けの手続補正（以下、「本件補正」という。）の適否
　本件補正は、本件補正前の請求項４、１３、２１〜３７を削除し、これに伴って、請求項の項番を整理するものであるから、特許法第１７条の２第５項第１号（請求項の削除）に掲げる事項を目的とするものに相当する。
　また、特許法第１７条の２第３項、第４項に違反するところはない。
第３　本願発明
　本願の請求項１ないし１８に係る発明は、平成２８年３月２日付け手続補正により補正された特許請求の範囲の請求項１ないし１８に記載された事項により特定される、次のとおりのものである。
「【請求項１】
　モバイルデバイスであって、
　衛星航法データを発生させるのに使用される予測軌道状態ベクトルをサーバから受信した初期衛星位置及び速度と力モデルパラメータとを使用して発生させるためのプロセッサと、
　前記プロセッサと通信する前記衛星航法データを受信するためのＧＮＳＳ受信機と、
　を含み、
　前記衛星航法データは、ある一定の期間にわたって有効である、
　ことを特徴とするモバイルデバイス。
　　【請求項２】
　前記ＧＮＳＳ受信機は、ＧＰＳチップを含むことを特徴とする請求項１に記載のモバイルデバイス。
　　【請求項３】
　前記ＧＮＳＳ受信機は、「支援型ＧＰＳ」チップを含むことを特徴とする請求項１に記載のモバイルデバイス。
　　【請求項４】
　前記初期衛星位置及び速度と力モデルパラメータとは、モバイルデバイスからの要求に続いて受信されることを特徴とする請求項１に記載のモバイルデバイス。
　　【請求項５】
　前記初期衛星位置及び速度と力モデルパラメータとは、前記要求の時点で最新であることを特徴とする請求項４に記載のモバイルデバイス。
　　【請求項６】
　前記予測軌道状態ベクトルは、伝播モデルを使用して計算され、該伝播モデルは、性能基準に基づいて利用可能である複数の伝播モデルから選択されることを特徴とする請求項１に記載のモバイルデバイス。
　　【請求項７】
　前記初期衛星位置及び速度と力モデルパラメータとは、データ記録内に受信されることを特徴とする請求項１に記載のモバイルデバイス。
　　【請求項８】
　前記データ記録は、以前に受信したデータ記録に対する変更であることを特徴とする請求項６に記載のモバイルデバイス。
　　【請求項９】
　前記衛星航法データは、ＧＰＳフォーマットで提供されることを特徴とする請求項１に記載のモバイルデバイス。
　　【請求項１０】
　前記衛星航法データは、ＧＬＯＮＡＳＳフォーマット又はＧａｌｉｌｅｏフォーマットで提供されることを特徴とする請求項１に記載のモバイルデバイス。
　　【請求項１１】
　モバイルデバイス上で衛星の軌道を予測する方法であって、
　初期衛星位置及び速度と力モデルパラメータとを、サーバからモバイルデバイスのプロセッサに受信する段階と、
　初期衛星位置及び速度と力モデルパラメータとを使用して予測軌道状態ベクトルを前記プロセッサにおいて発生させる段階と、
　前記予測軌道状態ベクトルを使用してある一定の期間にわたって有効な衛星航法データを前記プロセッサにおいて発生させ、該プロセッサが、該衛星航法データを前記モバイルデバイスのＧＮＳＳ受信機に送信する段階と、
　を含むことを特徴とする方法。
　　【請求項１２】
　前記初期衛星位置及び速度と力モデルパラメータとは、モバイルデバイスからの要求に続いて受信されることを特徴とする請求項１１に記載の方法。
　　【請求項１３】
　前記初期衛星位置及び速度と力モデルパラメータとは、前記要求の時点で最新であることを特徴とする請求項１２に記載の方法。
　　【請求項１４】
　前記予測軌道状態ベクトルは、伝播モデルを使用して計算され、該伝播モデルは、性能基準に基づいて利用可能である複数の伝播モデルから選択されることを特徴とする請求項１１に記載の方法。
　　【請求項１５】
　前記初期衛星位置及び速度と力モデルパラメータとは、データ記録内に受信されることを特徴とする請求項１１に記載の方法。
　　【請求項１６】
　前記データ記録は、以前に受信したデータ記録に対する変更であることを特徴とする請求項１５に記載の方法。
　　【請求項１７】
　前記衛星航法データは、ＧＰＳフォーマットで提供されることを特徴とする請求項１１に記載の方法。
　　【請求項１８】
　前記衛星航法データは、ＧＬＯＮＡＳＳフォーマット又はＧａｌｉｌｅｏフォーマットで提供されることを特徴とする請求項１１に記載の方法。」
第４　原査定の理由（理由２）の概要
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項１、１２、２１、２７、３３
　引用文献１、２
　文献１記載の発明に文献２に記載された技術を適用し、初期衛星位置及び速度と力モデルパラメータとを使用して予測軌道状態ベクトルを発生させることは、当業者が容易に想到し得ることである。
　また、文献１において衛星軌道の予測をクライアントで行う場合には、リンクを介して予測計算を行うために必要な位置や速度のデータを受信しているのであるから、同じく予測計算を行うために必要となる力モデルパラメータについてもリンクを介して受信することも、当業者であれば容易に想到し得る設計変更の範囲である。
・請求項２−１１、１３−２０、２２−２６、２８−３２、３４−３７
　伝播モデルを複数の中から選択することは、例えば文献３に記載されているように周知技術である。
　　　　　　　　　　　引　用　文　献　等　一　覧
１.国際公開第２００６／０３１６５２号（パテントファミリー：特表２００８−５１３７３８号公報）
２.国際公開第２００７／０５４４９３号（パテントファミリー：特表２００９−５１５１５６号公報）
３.特開２００３−２６２６６８号公報
　また、拒絶査定の備考欄において、力モデルパラメータをサーバから受信することが周知技術であることを示す文献として、特表２００７−５０１４１７号公報が引用されている。
第５　当審の判断
１　刊行物の記載事項
（引用例１）
　原査定の拒絶の理由に引用された、本願の原出願の国際出願日前に頒布された、国際公開第２００６／０３１６５２号刊行物１には、図面とともに、次の事項が記載されている（下線は、当審で付与した。また、翻訳は、パテントファミリーである特表２００８−５１３７３８号公報の記載に基づくものである。）。
ア　「Field of Invention
　The disclosed embodiments relate to satellite based positioning systems and methods. More particularly, the disclosed embodiments relate to determining position without the use of ephemeris information in its broadcast form.」（第１頁第２〜５行）（当審訳：技術分野  開示される実施形態は、衛星測位システム及び方法に関する。より詳細には、放送形態の軌道暦（ephemeris）情報を使用しない位置の決定に関する。）
イ　「
The client devices 110
mobile communication devices
and other processor-based devices.
クライアントデバイス１１０は、
モバイル通信デバイス
及び他のプロセッサベースのデバイス
ウ　「It will be appreciated by those of ordinary skill in the arts that the term ephemeris is then being used in its strict sense. Although 
it is conventional in the GPS arts to refer to the transmission of Kepler parameters by the GPS satellites as broadcast ephemeris,
compress
the predicted satellite state information into parameters such as Kepler parameters
ＧＰＳ技術においては、ＧＰＳ衛星によるケプラーパラメータの送信を「放送軌道暦（broadcast ephemeris）」と呼ぶことが慣例である
  本明細書にさらに説明するように、サーバ１２０が、
予測された衛星状態情報をケプラーパラメータなどのパラメータに圧縮
エ　「Referring again to database 130, 
the historical
state data of the database 130
the historical state data includes
satellite position state vectors, satellite velocity state vectors
The database 130
can be a standalone server
データベース１３０の履歴
状態データは、
衛星位置状態ベクトル、衛星速度状態ベクトル
を含む。データベース１３０は、
独立のサーバ
でもよい。
オ　「Figure 2 is a block diagram of 
a system 200 comprising client devices 210 that provide position information without using current ephemeris data
The client devices 210 also communicate with
databases 130 to request and/or receive data on past GPS satellite trajectories
between the client devices 210 and the databases 130
wireless
couplings
　
The client devices 210
comprises
including at least one of a GPS system 203, communication system 204, processor 205, memory 206, and prediction generator 207
 
Components of the prediction generator 207 continuously predict states of all GPS satellites 190 over a future time period using the historical information received from the database 130. The prediction generator 207 generates the predictions by fitting parameters to a satellite's force model from the past trajectory data of the satellites 190 and then using these fitted parameters in numerical integration of the equations of satellite dynamical motion
the client device 210
These parameters are locally stored. The satellite state vector will be later reconstructed from these locally stored parameters.
 
The client device 210 automatically determines its position without use of broadcast ephemeris data for extended periods of time.
the communication system 204 receives the historical information from the database 130 via communication link 232.
Various components of the client device 210 subsequently use
the parameters to generate satellite state at appropriate time as required in a navigation solution.
The predicted satellite trajectories are valid for a period of approximately one calendar week.
現在の軌道暦データを使用せずに位置情報を提供するクライアントデバイス２１０を備えたシステム２００
クライアントデバイス２１０は
過去のＧＰＳ衛星軌道に関するデータを要求及び／又は受信するよう、
データベース１３０と通信する。クライアントデバイス２１０とデータベース１３０との間
は、無線接続
  一実施形態の
クライアントデバイス２１０は、ＧＰＳシステム２０３と、通信システム２０４と、プロセッサ２０５と、メモリ２０６と、予測ジェネレータ２０７の少なくとも１つを含む
  
予測ジェネレータ２０７の構成要素は、データベース１３０から受信された履歴情報を使用して、将来の時間帯に亘ってすべてのＧＰＳ衛星１９０の状態を連続的に予測する。予測ジェネレータ２０７は、パラメータを衛星１９０の過去の軌道データからの衛星に対する力のモデルに適合させ、次いで衛星の動的運動についての方程式の数値積分法においてこれらの適合されたパラメータを使用することにより、予測を作成する
クライアントデバイス２１０は、衛星の予測を一組の短縮パラメータに局所的に圧縮し
これらのパラメータは、局所的に格納される。衛星状態ベクトルは、後に、これらの局所的に格納されたパラメータから再構築される。
  
クライアントデバイス２１０は、長い時間帯に亘って放送軌道暦データを使用せずに、その位置を自動的に決定する
通信システム２０４は、データベース１３０から通信リンク２３２を介して履歴情報を受信する。
クライアントデバイス２１０の様々な構成要素は、その後、
パラメータを使用して、ナビゲーション解において必要な適切な時間に衛星状態を作成する。予測された衛星軌道は、約１暦週の期間に亘って有効である。
　以上より、引用例１には、次の発明（以下、「引用発明１」という。）が記載されているものと認められる。
「現在の軌道暦データを使用せずに位置情報を提供するクライアントデバイス２１０を備えたシステム２００であって（上記オより。以下、同様）、
  クライアントデバイス１１０は、モバイル通信デバイス及び他のプロセッサベースのデバイスであり（イ）、ＧＰＳシステム２０３と、通信システム２０４と、プロセッサ２０５と、メモリ２０６と、予測ジェネレータ２０７の少なくとも１つを含み（オ）、
　クライアントデバイス２１０は過去のＧＰＳ衛星軌道に関するデータを要求及び／又は受信するよう、データベース１３０と通信し、通信システム２０４は、データベース１３０から通信リンク２３２を介して履歴情報を受信し（オ）、
　データベース１３０は、独立のサーバでもよく（エ）、
　データベース１３０の履歴状態データは、衛星位置状態ベクトル、衛星速度状態ベクトルを含み（エ）、
   予測ジェネレータ２０７の構成要素は、データベース１３０から受信された履歴情報を使用して、将来の時間帯に亘ってすべてのＧＰＳ衛星１９０の状態を連続的に予測するが、予測ジェネレータ２０７は、パラメータを衛星１９０の過去の軌道データからの衛星に対する力のモデルに適合させ、次いで衛星の動的運動についての方程式の数値積分法においてこれらの適合されたパラメータを使用することにより、予測を作成し（オ）、
　クライアントデバイス２１０は、衛星の予測を一組の短縮パラメータに局所的に圧縮し、これらのパラメータは、局所的に格納され、衛星状態ベクトルは、後に、これらの局所的に格納されたパラメータから再構築され、クライアントデバイス２１０は、長い時間帯に亘って放送軌道暦データを使用せずに、その位置を自動的に決定し（オ）、
　クライアントデバイス２１０の様々な構成要素は、その後、パラメータを使用して、ナビゲーション解において必要な適切な時間に衛星状態を作成し、予測された衛星軌道は、約１暦週の期間に亘って有効である（オ）、
　システム２００。」
（引用例２）
　原査定の拒絶の理由に引用された、本願の原出願の国際出願日前に頒布された、国際公開第２００７／０５４４９３号（以下、「引用例２」という。）には、次の事項が記載されている（下線は、当審で付与した。また、翻訳は、パテントファミリーである特表２００９−５１５１５６号公報の記載に基づくものである。）
「[0024] Additionally, the server 24 keeps a history of the position and velocity of a given satellite as long as it receives ephemeris data from this satellite by means of the reference receiver 26. These data are used as input for extrapolating the orbit of the satellite by means of a mechanical model, taking into account the forces acting on the satellite. The orbit prediction concept bases on integration of the fundamental law of mechanics, with the known satellites positions and velocities as starting values. Orbit prediction may take into account gravitation of earth, moon and sun, earth's pole rotation, earth's sideral rotation, precession and nutation, solar pressure, tides, etc. Satellite orbits are predicted for a period that substantially exceeds the period of validity of the broadcast ephemeris data used as input. Depending on the orbit prediction algorithm that is used, orbits can be predicted for 24 hours or even more. The predicted orbits serve to derive current long-term ephemeris data.」（当審訳：更に、
サーバ２４は所定の衛星の位置と速度の事暦を
保つ。これ等のデータは、衛星に作用する力を考慮した機械的モデルによる衛星の軌道を外挿するための入力として用いられる。軌道予測概念は、既知の衛星位置及び速度を初期値とする力学の基本法則に基礎をもつ。軌道予測は、地球、月及び太陽の重力、地球の極回転、地球の恒星回転、歳差運動及び章動、太陽圧、潮汐等を考慮してなされる。
　よって、引用例２には、次の技術（以下、「引用例２に記載された技術」という。）が記載されているものと認められる。
「サーバ２４は所定の衛星の位置と速度の事暦（history ）を保ち、これ等のデータは、衛星に作用する力を考慮した機械的モデルによる衛星の軌道を外挿するための入力として用いられ、軌道予測概念は、既知の衛星位置及び速度を初期値とする力学の基本法則に基礎をもち、軌道予測は、地球、月及び太陽の重力、地球の極回転、地球の恒星回転、歳差運動及び章動、太陽圧、潮汐等を考慮してなされる。」技術。
（引用例３）
　原査定の拒絶の理由に引用された、本願の国際出願日前に頒布された刊行物である、特開２００３−２６２６６８号公報（以下、「引用例３」という。）には、表１とともに、次の事項が記載されている（下線は、当審で付与した。）。
「【００２３】表１は、本発明の様々な
プロトタイプＳＰＶモデルのインプリメンテーションＡ〜Ｆ
「【００２５】
モデルＥ及びモデルＦ
　よって、「ＳＰＶモデルとして複数のインプリメンテーションが可能であること」は、周知技術であると認められる。
２　対比・判断
（請求項１に係る発明について）
　本願の請求項１に係る発明（以下、「本願発明」という。）と引用発明１とを対比する。
ア　引用発明１における「クライアントデバイス１１０」は「モバイル通信デバイス」であるから、本願発明における「モバイルデバイス」に相当する。
イ　引用発明１における「データベース１３０」は、「独立のサーバでもよく」、「データベース１３０の履歴状態データは、衛星位置状態ベクトル、衛星速度状態ベクトルを含」んでいる。よって、引用発明１における「クライアントデバイス２１０」が「過去のＧＰＳ衛星軌道に関するデータを要求及び／又は受信するよう、データベース１３０と通信」し、「通信システム２０４」が「データベース１３０から通信リンク２３２を介し」て「受信」した「履歴情報」、つまり「衛星位置状態ベクトル、衛星速度状態ベクトル」の履歴のうちの何れか一つが、本願発明１における「サーバから受信した初期衛星位置及び速度」に相当する。
ウ　引用発明１における「一組の短縮パラメータ」は、「衛星の予測」を「圧縮」したものであって、これらのパラメータは、「後に」、「衛星状態ベクトル」を「再構築」するものである。そして、引用例１には「予測された衛星状態情報をケプラーパラメータなどのパラメータに圧縮」（上記「３」「（引用例１）」「ウ」）と記載されている。よって、引用発明１における「一組の短縮パラメータ」はケプラーパラメータなどの「放送軌道暦（broadcast ephemeris）」（上記「３」「（引用例１）」「ウ」）であって、本願発明における「衛星航法データ」に相当するといえる。
  よって、引用発明１における「衛星の予測」は、「クライアントデバイス２１０」が、「一組の短縮パラメータ」（つまり、ケプラーパラメータなどの放送軌道暦（broadcast ephemeris））に「圧縮」するために用いられるから、本願発明における「衛星航法データを発生させるのに使用される予測軌道状態ベクトル」に相当するといえる。
エ　引用発明１における「クライアントデバイス１１０」は、「モバイル通信デバイス及び他のプロセッサベースのデバイスであ」るから、その「プロセッサ」（さらには、「予測ジェネレータ２０７」の構成要素として処理を実行するプロセッサが別にあれば、そのプロセッサを含む。以下、同様）が、本願発明における「プロセッサ」に相当する。また、引用発明１における該「プロセッサ」が、「クライアントデバイス１１０」における「予測ジェネレータ２０７」における「ＧＰＳ衛星１９０の状態を連続的に予測する」処理を実行していることは明らかである。
オ　引用発明１において、「独立のサーバでもよ」い「データベース１３０から受信された履歴情報」、つまり「衛星位置状態ベクトル、衛星速度状態ベクトル」を使用して、「将来の時間帯に亘ってすべてのＧＰＳ衛星１９０の状態を連続的に予測するが、予測ジェネレータ２０７は、パラメータを衛星１９０の過去の軌道データからの衛星に対する力のモデルに適合させ、次いで衛星の動的運動についての方程式の数値積分法においてこれらの適合されたパラメータを使用することにより、予測を作成」することと、本願発明における「予測軌道状態ベクトルをサーバから受信した初期衛星位置及び速度と力モデルパラメータとを使用して発生させることとは、「予測軌道状態ベクトルをサーバから受信した初期衛星位置及び速度とを使用して発生させる」点で共通する。
カ　引用発明１の「クライアントデバイス２１０」が含む「ＧＰＳシステム２０３」が、本願発明における「ＧＮＳＳ受信機」に相当する。
キ　引用発明１では「プロセッサ」が「一組の短縮パラメータ」を「圧縮し、 これらのパラメータは、局所的に格納され、衛星状態ベクトルは、後に、これらの局所的に格納されたパラメータから再構築され、クライアントデバイス２１０の様々な構成要素は、その後、パラメータを使用して、ナビゲーション解において必要な適切な時間に衛星状態を作成し」ているが、「パラメータを使用して、ナビゲーション解において必要な適切な時間に衛星状態を作成」する構成要素が引用発明１における「ＧＰＳシステム２０３」であることは、明らかである。
　よって、引用発明１では「ＧＰＳシステム２０３」は、「プロセッサ」が「局所的に格納」した「一組の短縮パラメータ」を用いて、「パラメータを使用して、ナビゲーション解において必要な適切な時間に衛星状態を作成し」ているから、本願発明における「前記プロセッサと通信する前記衛星航法データを受信するためのＧＮＳＳ受信機」に相当するといえる。
ク  引用発明１の「一組の短縮パラメータ」を使用して「予測された衛星軌道」が、「約１暦週の期間に亘って有効である」ことが、本願発明における「前記衛星航法データは、ある一定の期間にわたって有効である」ことに相当する。
　よって、本願発明と引用発明１との一致点、相違点は次のとおりである。
（一致点）
「モバイルデバイスであって、
　衛星航法データを発生させるのに使用される予測軌道状態ベクトルをサーバから受信した初期衛星位置及び速度とを使用して発生させるためのプロセッサと、
　前記プロセッサと通信する前記衛星航法データを受信するためのＧＮＳＳ受信機と、
　を含み、
　前記衛星航法データは、ある一定の期間にわたって有効である、
　ことを特徴とするモバイルデバイス。」
（相違点）
　本願発明では、予測軌道状態ベクトルを、サーバから受信した初期衛星位置及び速度と力モデルパラメータとを使用して発生させるのに対し、引用発明１では、「衛星の予測」（つまり、「将来の時間帯に亘ってすべてのＧＰＳ衛星１９０の状態を連続的に予測」したもの）は、「独立のサーバでもよ」い「データベース１３０から受信された履歴情報」、つまり「衛星位置状態ベクトル、衛星速度状態ベクトル」の履歴を使用し、「パラメータを衛星１９０の過去の軌道データからの衛星に対する力のモデルに適合させ、次いで衛星の動的運動についての方程式の数値積分法においてこれらの適合されたパラメータを使用すること」により、「作成」しているが、衛星に対する力のモデルのパラメータを、「独立のサーバでもよ」い「データベース１３０」から受信することは示されていない点。
　そこで、上記相違点について検討すると、引用例２に記載された技術には、「軌道予測概念は、既知の衛星位置及び速度を初期値とする力学の基本法則に基礎をもつ。軌道予測は、地球、月及び太陽の重力、地球の極回転、地球の恒星回転、歳差運動及び章動、太陽圧、潮汐等を考慮してなされる。」と、衛星に作用する力が列挙されているものの、それらの力のモデルのパラメータを、サーバから受信することは記載も示唆もされていない。
　また、周知技術であることを示す文献として引用された引用例３にも、拒絶査定の備考欄で周知技術を示す文献として引用された特表２００７−５０１４１７号公報（以下、「引用例４」という。）にも、衛星に対する力のモデルのパラメータを、サーバから受信することは、記載も示唆もされていない。
　よって、上記相違点は、引用例２に記載されておらず、また、周知技術（引用例３、引用例４）であるともいえないから、当業者が容易になし得たことであるとはいえない。
　また、引用発明１では「独立のサーバでもよ」い「データベース１３０から受信された履歴情報」、つまり「衛星位置状態ベクトル、衛星速度状態ベクトル」の履歴を使用し、「パラメータを衛星１９０の過去の軌道データからの衛星に対する力のモデルに適合させ」ているのであるから、「衛星位置状態ベクトル、衛星速度状態ベクトル」の履歴を受信することと、衛星に対する力のモデルのパラメータを受信しないこと、とは表裏一体の関係にあるといえる。よって、引用発明１において、「独立のサーバでもよ」い「データベース１３０」から「衛星位置状態ベクトル、衛星速度状態ベクトル」の履歴を受信しつつ、さらに加えて、衛星に対する力のモデルのパラメータをも受信することは、当業者にとって動機付けられないことである。
　よって、本願発明は、引用発明１、引用例２に記載された技術、及び周知技術（引用例３，引用例４）に基づいて、当業者が容易に発明をすることができたとはいえない。
（請求項２ないし１０に係る発明について）
　本願の請求項２ないし１０に係る発明は、本願発明をさらに限定したものであるので、本願発明と同様に、引用発明１、引用例２に記載された技術、及び周知技術（引用例３、引用例４）に基づいて、当業者が容易に発明をすることができたとはいえない。
（請求項１１ないし１８に記載された発明について）
　本願の請求項１１に係る発明は、本願発明を「方法」として表現した発明であるから、本願発明について述べたのと同様の理由により、引用発明１、引用例２に記載された技術、及び周知技術（引用例３、引用例４）に基づいて、当業者が容易に発明をすることができたとはいえない。
　また、本願の請求項１１ないし１８に係る発明は、請求項１１に係る発明をさらに限定したものであるので、同様に、引用発明１、引用例２に記載された技術、及び周知技術（引用例３，引用例４）に基づいて、当業者が容易に発明をすることができたとはいえない。
第６　むすび
　以上のとおり、本願の請求項１ないし１８に係る発明は、当業者が引用発明１、引用例２に記載された技術、及び周知技術（引用例３，引用例４）に基づいて、当業者が容易に発明をすることができたものではないから、原査定の理由によっては、本願を拒絶することはできない。
　また、他に本願を拒絶すべき理由を発見しない。
　よって、結論のとおり審決する。